(57)【要約】      （修正有）【課題】消毒効果を有するウェットティッシュを生成する電気化学ティッシュ消毒装置を提供する。【解決手段】電気化学ティッシュ消毒装置は、主に、少なくとも１つの消毒装置１と、消毒装置１内に形成される、水を収容するための少なくとも１つの第１収容空間１１と、消毒装置１上に形成されるとともに、第１収容空間１１に通じる少なくとも１つの注水部１２と、第１収容空間１１内に設けられる、少なくとも１つの電解ユニット１３と、消毒装置１上に設けられるとともに、電解ユニット１３に電気的に接続された少なくとも１つの電力供給部品１５と、第１収容空間１１に通じる少なくとも１つの第２収容空間１４と、から構成される。電解ユニット１３は、水を電解することで高活性酸素を生成するとともに、高活性酸素により消毒し、第２収容空間１４は、少なくとも１つの拭き取り用物品を収容する。【選択図】図１
0003219029.tif 000002
【実用新案登録請求の範囲】
【請求項１】
電気化学ティッシュ消毒装置であって、前記電気化学ティッシュ消毒装置は、主に、
少なくとも１つの消毒装置と、
前記消毒装置内に形成される、水を収容するための少なくとも１つの第１収容空間と、前記消毒装置上に形成されるとともに、前記第１収容空間に通じる少なくとも１つの注水部と、
前記第１収容空間内に設けられる、少なくとも１つの電解ユニットと、
前記消毒装置上に設けられるとともに、前記電解ユニットに電気的に接続された少なくとも１つの電力供給部品と、
前記第１収容空間に通じる少なくとも１つの第２収容空間と、からなり、
前記電解ユニットは、前記水を電解することで高活性酸素を生成するとともに、前記高活性酸素により消毒し、前記第２収容空間は、少なくとも１つの拭き取り用物品を収容することで、前記水及び前記高活性酸素を前記拭き取り用物品に結合させることを特徴とする、電気化学ティッシュ消毒装置。
【請求項２】
前記電解ユニットは、少なくとも１つのアノード部品と、前記アノード部品の側部に設けられる少なくとも１つのカソード部品と、前記カソード部品上に設けられる少なくとも１つの炭素材料を備えることを特徴とする、請求項１に記載の電気化学ティッシュ消毒装置。
【請求項３】
前記第１収容空間内には、少なくとも１つの水位検出部が設けられるとともに、前記消毒装置上には、前記水位検出部に電気的に接続された少なくとも１つの水位表示部と、前記電力供給部品に電気的に接続された少なくとも１つのスイッチ部品が設けられることを特徴とする、請求項１に記載の電気化学ティッシュ消毒装置。
【請求項４】
前記消毒装置上には、前記電力供給部品に電気的に接続された少なくとも１つの充電部が設けられ、前記充電部は、ユニバーサルシリアルバス（Ｕｎｉｖｅｒｓａｌ  Ｓｅｒｉａｌ  Ｂｕｓ、ＵＳＢ）充電差込口であることを特徴とする、請求項１に記載の電気化学ティッシュ消毒装置。
【請求項５】
前記消毒装置上には、少なくとも１つの筐体が可動に設置されることを特徴とする、請求項１に記載の電気化学ティッシュ消毒装置。
【請求項６】
前記筐体内には前記第２収容空間が形成されるとともに、前記消毒装置上には、注水部品が設けられ、前記注水部品は、前記第１収容空間が選択的に前記第２収容空間に通じるのを制御することを特徴とする、請求項５に記載の電気化学ティッシュ消毒装置。
【請求項７】
前記第２収容空間は前記筐体に通じるとともに、前記消毒装置上には制御部品が設けられ、前記制御部品は、前記第２収容空間が選択的に前記筐体に通じるのを制御するとともに、前記制御部品の一側には、前記第２収容空間と前記筐体の間に位置する回転台が連動するように設置され、さらに、前記回転台は、選択的に前記第２収容空間または前記筐体に通じる少なくとも１つの一時保存部を備えることを特徴とする、請求項５に記載の電気化学ティッシュ消毒装置。
【考案の詳細な説明】
【技術分野】
【０００１】
本考案は電気化学ティッシュ消毒装置に関し、特に電解水により高活性酸素を生成することで、消毒効果を有するウェット拭き取り用物品を生成する電気化学ティッシュ消毒装置に関する。
【背景技術】
【０００２】
台湾特許第Ｍ４７１８４３号明細書「殺菌ティッシュ」の技術内容は、主に、以下の通りである。「殺菌ティッシュであって、主に、ティッシュ及び包裝袋を備え、そのうち、ティッシュは、無塵紙、スパンレース不織布、マイクロファイバー布等の液体を吸収することのできる担体であることができるとともに、本考案のティッシュは、さらに、殺菌液に浸潤されると、包裝袋の中に収容される。前記殺菌液は、二酸化塩素成分を含むことで、その消毒力、酸化力は強いとともに、反応活性化合物を備えることで、自然環境において速やかに分解され、残渣が無く、二次汚染を引き起こさない。一般の適用濃度は、人と動物に無害であり、消毒殺菌時にその場所を隔離して空気を清浄する必要がない等の長所を備える」。従って、ティッシュ使用時に人体に危害を及ぼさず、ティッシュが殺菌液を吸収すると、包裝袋内に被覆されることで、包裝袋は、常態下においてティッシュを保湿する効果を備え、使用者が携帯して持ち歩くのに便利である。
【０００３】
しかしながら、前記殺菌ティッシュは殺菌の効果を備えてはいるが、ティッシュを包装袋に収容することで、使用後の包装袋はごみになるとともに、ティッシュは、無塵紙、スパンレース不織布、マイクロファイバー布等の材質であることができるが、上述の材質は環境分解が困難であり、環境に負担をかけるとともに、使用者は、殺菌効果を有するティッシュを自分で製造することはできない。
【先行技術文献】
【特許文献】
【０００４】
【特許文献１】台湾特許第Ｍ４７１８４３号明細書
【考案の概要】
【考案が解決しようとする課題】
【０００５】
本考案は、主に、電解ユニット及び第１収容空間の設計により、第１収容空間内の水を電解することができ、水中に殺菌効果を有する高活性酸素を生成させるとともに、第１収容空間が第２収容空間に通じる設計により、高活性酸素を有する水を拭き取り用物品に結合させることで、消毒効果を有するウェット拭き取り用物品を生成する電気化学ティッシュ消毒装置を提供することを目的とする。
【課題を解決するための手段】
【０００６】
本考案は、上述の目的を達成するため、その主な構造は、少なくとも１つの消毒装置と、少なくとも１つの第１収容空間と、少なくとも１つの注水部と、少なくとも１つの電解ユニットと、少なくとも１つの電力供給部品と、少なくとも１つの第２収容空間と、からなる。前記消毒装置内には水を収容する少なくとも１つの前記第１収容空間が形成され、前記消毒装置上には前記第１収容空間に通じる少なくとも１つの前記注水部が形成されるとともに、前記第１収容空間内には前記少なくとも１つの電解ユニットが設けられ、前記電解ユニットは、前記水を電解することにより、消毒用の高活性酸素を生成するとともに、前記消毒装置上には前記電解ユニットに電気的に接続された少なくとも１つの電力供給部品が設けられ、さらに、前記第１収容空間に通じる少なくとも１つの第２収容空間が設けられ、少なくとも１つの拭き取り用物品を収容する。このように、使用者は、第２収容空間に乾燥した拭き取り用物品を置くことができるとともに、注水部から水を第１収容空間内に注入し、電解ユニットによって水を電解することができることで、水中に消毒効果を有する高活性酸素を生成し、第１収容空間は第２収容空間に通じていることで、高活性酸素を有する水を拭き取り用物品と結合させることができることで、消毒効果を有するウェット拭き取り用物品を生成する。
【考案の効果】
【０００７】
上述の技術により、従来の殺菌ティッシュに存在する包装袋及びティッシュがどちらも環境に負担をかけるとともに、使用者が殺菌効果を有するティッシュを自分で製造することができないという問題点を解決し、本考案における上述の実用進歩性を達成する。
【図面の簡単な説明】
【０００８】
【図１】本考案における比較的好ましい実施例の斜視透視図である。
【図２】本考案における比較的好ましい実施例の実施図１である。
【図３】本考案における比較的好ましい実施例の実施図２である。
【図４】本考案における比較的好ましい実施例の実施図３である。
【図５】本考案におけるさらに別の比較的好ましい実施例の斜視透視図である。
【図６】本考案のさらに別の比較的好ましい実施例における動作を示した図１である。
【図７】本考案のさらに別の比較的好ましい実施例における動作を示した図１である。
【図８】本考案のさらに別の比較的好ましい実施例における動作を示した図３である。
【図９】本考案におけるさらに別の比較的好ましい実施例の実施図である。
【考案を実施するための形態】
【０００９】
図１に示す通り、本考案は、少なくとも１つの消毒装置１と、少なくとも１つの電解ユニット１３と、少なくとも１つの電力供給部品１５と、少なくとも１つの筐体１７と、少なくとも１つの注水部品１８と、からなる。
【００１０】
前記消毒装置１内には、水を収容する少なくとも１つの第１収容空間１１が形成され、前記消毒装置１上には、前記第１収容空間１１に通じる少なくとも１つの注水部１２が形成され、本実施例は、選択的に前記第１収容空間１１の蓋体を密閉する。
【００１１】
前記第１収容空間１１内に設けられる少なくとも１つの電解ユニット１３は、前記水を電解することで、消毒用の高活性酸素を生成し、前記電解ユニット１３は、少なくとも１つのアノード部品１３１と、前記アノード部品１３１の側部に設けられる少なくとも１つのカソード部品１３２と、前記カソード部品１３２上に設けられる少なくとも１つの炭素材料１３３を備える。
【００１２】
少なくとも１つの電力供給部品１５は、前記消毒装置１上に設けられるとともに、前記電解ユニット１３に電気的に接続され、前記消毒装置１上には、少なくとも１つの前記電力供給部品１５に電気的に接続された充電部１５１が設けられるとともに、前記充電部１５１は、ユニバーサルシリアルバス（Ｕｎｉｖｅｒｓａｌ  Ｓｅｒｉａｌ  Ｂｕｓ、ＵＳＢ）充電差込口である。
【００１３】
少なくとも１つの筐体１７は、前記消毒装置１上に可動に設置されるとともに、前記筐体１７内には、少なくとも１つの第２収容空間１４が形成され、前記第２収容空間１４は前記第１収容空間１１に通じ、少なくとも１つの拭き取り用物品２（例えば、ティッシュ、不織布、布料）を収容することで、前記水及び前記高活性酸素を前記拭き取り用物品２に結合させる。
【００１４】
少なくとも１つの注水部品１８は、前記消毒装置１上に設けられ、前記注水部品は、前記第１収容空間１１が選択的に前記第２収容空間１４に通じるのを制御する。
【００１５】
図１〜図４に示す通り、本実施例の筐体１７はシリコンゴム材質であり、前記筐体１７は、消毒装置１上において取り付ける及び取り外すことができ、使用者は、筐体１７内の第２収容空間１４内に乾燥した拭き取り用物品２を置くことができる。使用者がウェット拭き取り用物品２を製造したい場合には、消毒装置１上の注水部１２から水を第１収容空間１１内に注入するとともに、電解ユニット１３によって水を電解することで、消毒効果を有する高活性酸素を生成する。そのうち、前記電解ユニット１３は、アノード部品１３１及びカソード部品１３２を備え、それぞれ電力供給部品１５の正極と負極に接続される。そのうち、カソード部品１３２は、炭素材料１３３を備えるとともに、アノード部品１３１及びカソード部品１３２がどちらも水と接触するとすぐに、前記電力供給部品１５によって電力が供給され、電解ユニット１３を駆動させて水を電解し、水中に高活性酸素を生成する。前記高活性酸素は、消毒効果を有するスーパーオキシドアニオン（Ｏ２−・）、ヒドロキシラジカル（・ＯＨ）、過酸化水素（Ｈ２Ｏ２）、または一重項酸素（Ｓｉｎｇｌｅ  ｏｘｙｇｅｎ、１Ｏ２）のうちの１つであるとともに、前記電力供給部品１５は充電電池であり、使用者は、充電部１５１によって電力供給部品１５の充電を行うことができる。本実施例の充電部１５１はユニバーサルシリアルバス（ＵＳＢ）充電差込口を例として使用しており、電力供給部品１５は商用電源であることもできる。
【００１６】
図３〜図４に示す通り、使用者は、注水部品１８を押圧することで、第１収容空間１１と前記第２収容空間１４の電子バルブ１８１を連動させてオンにし、高活性酸素を有する水と乾燥した拭き取り用物品２を結合させることで、消毒効果を有するウェット拭き取り用物品２を生成することができる。使用者は、さらに、筐体１７を消毒装置１から取り外すとともに、筐体１７上に蓋を取り付けることで、ウェット拭き取り用物品２を携帯して持ち歩くことができる。
【００１７】
図５〜図９に示す通り、本考案と前述の実施例は大同小異であり、違いは以下の通りである。
【００１８】
少なくとも１つの電力供給部品１５ａは、消毒装置１ａ上に設けられるとともに、電解ユニット１３ａに電気的に接続され、消毒装置１ａ上には、電力供給部品１５ａに電気的に接続された少なくとも１つのスイッチ部品１６ａが設けられる。
【００１９】
少なくとも１つの水位検出部１１１ａが第１収容空間１１ａ内に設けられるとともに、消毒装置１ａ上には、水位検出部１１１ａに電気的に接続された少なくとも１つの水位表示部１１２ａが設けられる。
【００２０】
消毒装置１ａ上に設けられる制御部品１９ａは、第２収容空間１４ａが選択的に筐体１７ａに通じるのを制御し、制御部品１９ａは、第２収容空間１４ａと筐体１７ａの間に設けられる回転台１９１ａを備えるとともに、回転台１９１ａは、選択的に第２収容空間１４ａまたは筐体１７ａに通じる少なくとも１つの一時保存部１９２ａを備える。
【００２１】
本実施例の消毒装置１ａは、カプセルトレイ状の形態であり、使用者は、消毒装置１ａ上の第１収容空間１１ａ内に水を注入すると、水位検出部１１１ａは、第１収容空間１１ａ内の水位を検出するとともに、水位表示部１１２ａによって第１収容空間１１ａ内の水位を表示する。さらに、電力供給部品１５ａは、電解ユニット１３ａに電力を供給し、電解ユニット１３ａは、スイッチ部品１６ａを備えることで電解ユニット１３ａによる水の電解を制御することができ、スイッチ部品１６ａがオンの場合、電解ユニット１３ａにおけるアノード部品１３１ａと、カソード部品１３２ａと、炭素材料１３３ａが水を電解して、スーパーオキシドアニオン（Ｏ２−・）、ヒドロキシラジカル（・ＯＨ）、過酸化水素（Ｈ２Ｏ２）、一重項酸素（Ｓｉｎｇｌｅ  ｏｘｙｇｅｎ、１Ｏ２）といった高活性酸素を生成することができる。
【００２２】
図６に示す通り、本実施例における第２収容空間１４ａは漏斗状の形態であり、内部に円柱状の乾燥した拭き取り用物品２ａが置かれるとともに、赤外線センサー１８２ａと組み合わされて、拭き取り用物品２ａの存在が検出されると、電子バルブ１８１ａを制御して一定量の高活性酸素水が第２収容空間１４ａの狭窄口部に流れるようにすることで、拭き取り用物品２ａを湿らせる。使用者がウェット拭き取り用物品２ａを使用したい場合には、図７に示す通り、つまみの形態をした制御部品１９ａを回転させることで連動された回転台１９１ａが回転する。この時、回転台１９１ａ上の一時保存部１９２ａは、その上方の第２収容空間１４ａに通じ、拭き取り用物品２ａを１つ前記一時保存部１９２ａの中に落とし、続けてさらに、制御部品１９ａを回転させる。図８に示す通り、一時保存部１９２ａが下方の筐体１７ａと通じるようにすることで、同時に、回転台１９１ａの底部によって第２収容空間１４ａを塞ぎ、拭き取り用物品２ａは一時保存部１９２ａから筐体１７ａ内に落ちる。従って、カプセルトレイと類似した操作原理によって、使用者はウェット拭き取り用物品２ａを取ることができるとともに、使用者は、筐体１７ａを消毒装置１ａから取り外すとともに、筐体１７ａ上に蓋を取り付けることで、ウェット拭き取り用物品２ａを携帯して持ち歩くことができる。
【００２３】
本考案を使用する場合、従来技術と比較して、以下の長所が存在する。
【００２４】
一、電解ユニット１３及び第１収容空間１１の設計により、第１収容空間１１内の水を電解することで、水中に殺菌効果を有する高活性酸素を生成させることができる。
【００２５】
二、第１収容空間１１が第２収容空間１４に通じる設計によって、高活性酸素を有する水を拭き取り用物品２に結合させることで、消毒効果を有するウェット拭き取り用物品２を生成することができる。
【００２６】
三、筐体１７を消毒装置１から取り外す設計により、使用者は、ウェット拭き取り用物品２を携帯して持ち歩くことができる。
【００２７】
四、消毒装置１ａがカプセルトレイ状の形態をした設計であることで、使用者が使用する際に面白みを持たせることができる。
【符号の説明】
【００２８】
１、１ａ          消毒装置
１１、１１ａ      第１収容空間
１１１ａ          水位検出部
１１２ａ          水位表示部
１２              注水部
１３、１３ａ      電解ユニット
１３１、１３１ａ  アノード部品
１３２、１３２ａ  カソード部品
１３３、１３３ａ  炭素材料
１４、１４ａ      第２収容空間
１５、１５ａ      電力供給部品
１５１            充電部
１６ａ            スイッチ部品
１７、１７ａ      筐体
１８              注水部品
１８１、１８１ａ  電子バルブ
１８２ａ          赤外線センサー
１９ａ            制御部品
１９１ａ          回転台
１９２ａ          一時保存部
２、２ａ          拭き取り用物品
【図１】
0003219029.tif 000003
【図２】
0003219029.tif 000004
【図３】
0003219029.tif 000005
【図４】
0003219029.tif 000006
【図５】
0003219029.tif 000007
【図６】
0003219029.tif 000008
【図７】
0003219029.tif 000009
【図８】
0003219029.tif 000010
【図９】
0003219029.tif 000011